(57)【特許請求の範囲】
【請求項１】
海水の電気分解により発生する気泡をクラゲのポリプに接触させることを特徴とするポリプの死滅方法。
【請求項２】
海水の電気分解が、海水中に電極を設置して電極間に電圧を印加することにより行われることを特徴とする請求項１に記載の方法。
【発明の詳細な説明】
【技術分野】
【０００１】
本発明は、クラゲの着生世代であるポリプを海水の電気分解により発生する気泡で処理することによって迅速かつ簡単に死滅させる方法に関する。
【背景技術】
【０００２】
クラゲは、刺胞動物（あるいは腔腸動物）に属する動物である。傘径が十数ｃｍ以上に成長する比較的大型のクラゲの多く、例えばミズクラゲは、一生の中で浮遊クラゲ世代と着生ポリプ世代を交代することが知られている。その生活史の概略は次の通りである。すなわち、クラゲの受精卵が発生して繊毛の生えたほぼ球状のプラヌラ幼生となり、これが適切な基盤に着生変態してポリプとなる。ポリプは分裂・出芽等により無性的に増殖し、コロニーを形成する。これらのポリプは水温低下等の条件変化によって体部に多数の横くびれが生じ横分体（ストロビラ）を形成する。この横分体の一つ一つのくびれがくびれきれることによって多数のエフィラ幼生が無性的に遊離し遊泳を開始する。このエフィラ幼生は遊泳生活中に胃水管系や触手を生じ、寒天層が発達して変態・成長しクラゲ成体となる。
【０００３】
これらのクラゲ成体は火力発電所、原子力発電所等の海水利用プラントの取水口付近にしばしば大量に来襲し、海水利用プラントの海水取水を妨げる。かかるクラゲ成体の大量来襲による海水の取水障害は機器の性能低下、発電出力の低下、取水および発電停止等の極めて深刻な被害をもたらす。また、クラゲ成体は漁業施設にもしばしば大量に来襲する。この場合、クラゲ成体は定置網等の漁網に入り込み、漁網中の魚類の窒息、死亡、品質低下および漁網破損等の被害を発生させる。
【０００４】
このようなクラゲ成体大量来襲による被害への対策として、現在、クラゲ成体出現状況の監視、海水取水口前面でのクラゲ成体防止網の設置、船舶・人手やスクリーンによるクラゲ成体回収、クラゲ成体来襲予知による対策の早期化等の様々な対策がなされている。しかし、これらの対策は全てクラゲ成体に対する対策であり、クラゲ成体の発生源であるポリプに対しては何ら対策がとられていないのが現状である。
【０００５】
一方、クラゲの着生世代であるポリプの再生力は極めて強いことが知られている。従って、ポリプを死滅させる場合、十分にポリプ組織・細胞を死滅させない限りポリプからのクラゲ成体の発生を完全に防止することは困難であると考えられる。
【０００６】
この点について、本発明者らは特許文献１において、ポリプを塩分濃度５‰以下の水、空気、又は５０℃以上の高温水に暴露することによりポリプを効果的に死滅させる方法を提案した。しかしながら、これらの方法はポリプを完全に死滅させるためには淡水や熱水の注入やエアバブリングを長期間行う必要がある。従って、ポリプを迅速かつ簡単に死滅させるための好適な方法に対する要求がなお存在する。
【０００７】
【特許文献１】特開２００４−２７５０２８号公報
【発明の開示】
【発明が解決しようとする課題】
【０００８】
本発明はかかる従来技術の現状に鑑み創案されたものであり、その目的はクラゲのポリプを迅速かつ簡単に死滅させるための好適な方法を提供することである。
【課題を解決するための手段】
【０００９】
本発明者らは上記目的を達成するために、ポリプの迅速かつ簡単な死滅方法について鋭意検討した結果、海水の電気分解により発生する気泡でポリプを処理するとポリプは短時間で死滅することを見出し、本発明の完成に至った。
【００１０】
即ち、本発明は、海水の電気分解により発生する気泡をクラゲのポリプに接触させることを特徴とするポリプの死滅方法である。
【００１１】
本発明の好ましい実施態様によれば、海水の電気分解は、海水中に電極を設置して電極間に電圧を印加することにより行われる。
【発明の効果】
【００１２】
本発明の方法によれば、海水の電気分解により発生する気泡にポリプを接触させることによってポリプを死滅させるようにしているので、ポリプの駆除を短時間で確実に行うことができ、駆除作業が簡単である。
【発明を実施するための最良の形態】
【００１３】
本発明のポリプの死滅方法は、海水を電気分解して発生させた特殊な気泡をポリプに接触させることによってポリプを死滅させることを特徴とする。海水の電気分解により発生する気泡は、従来のエアバブリングにより生成される気泡とは、気泡内に含まれるガスの成分の点で大きく異なる。即ち、エアバブリングにより生成される気泡は大気を含有しているのに対し、海水の電気分解により発生する気泡は、水の電気分解により発生する水素ガス及び酸素ガス、並びに海水中に含まれる塩化物イオンから遊離した微量の塩素ガスを含有している。この気泡のガス成分のうち、水素ガス及び塩素ガスはポリプに対して強い毒性を有する。従って、海水の電気分解により発生する気泡でのポリプの処理はエアバブリングにより生成される気泡による処理に比べてポリプの死滅効果の点で極めて優れている。
【００１４】
また、海水の電気分解により発生する気泡は一般に、エアバブリングにより生成される気泡よりその大きさ（直径）が小さい傾向にある。即ち、エアバブリングにより生成される気泡はノズルに特別な工夫をしない限り通常ミリメートルのオーダーであるのに対し、海水の電気分解により発生する気泡は特別な工夫をしなくても通常マイクロメートルのオーダーであり、エアバブリングにより生成される気泡より一般的にずっと小さい。このため、海水の電気分解により発生する気泡が一旦ポリプに付着すると気泡は容易には破裂せず、長時間ポリプ表面に溜まる。この状態ではポリプは触手を伸長させることができないので、気泡の付着量がたまたま少なくてポリプが即座に死滅しなかったとしても、ポリプは周囲の海水中から餌や酸素を摂取することができず、衰弱して最終的に死滅する。従って、この点からも海水の電気分解により発生する気泡のポリプの死滅効果は優れている。
【００１５】
次に、本発明のポリプの死滅方法の具体的な実行方法について説明する。本発明のポリプの死滅方法は、海水の電気分解により発生する気泡がポリプに接触する限り、様々な方法を採用することができ、例えば海水中に適当な大きさの電極を設置して通常の電源装置により電極間に電圧を印加して電極間の電流通過領域に電気分解による気泡を発生させ、この気泡をポリプに接触させることにより簡単に実行することができる。実際には、ポリプは、浮き桟橋の下面や防波堤のオーバーハングの下面などの海面上に存在する構造物の下面の海水接触領域に一般的に着生しているので、これらのポリプ着生場所の下側にポリプ着生領域をカバーするような長さ及び電極間間隔を有する電極を設置して電圧を印加することによって行われる。発生した気泡は自然に浮上してポリプに接触することになるので、ポリプを簡単に死滅させることができる。
【００１６】
海水の電気分解により発生させる気泡の単位時間当たりの発生量は、ポリプの死滅効果が達成されるようにできるだけ多くすべきである。この量は、電極間に印加される電圧及び電極間に流れる電流を調節することによって制御することができ、例えば電圧や電流を高くすると電気分解の速度が増大して単位時間当たりの気泡の発生量を増大させることができる。電圧や電流の調節は、用いる電源装置の出力を変更することにより容易に行うことができる。なお、電圧は電極間隔によっても変動し、電極間隔を広くすると電源装置の出力が同じであっても印加される電圧は低くなることに注意すべきである。好適な電圧及び電流の値は個々の現場の条件に応じて適宜設定すればよいが、電極間隔が５ｍｍ程度の場合、通常１Ｖ〜１０Ｖ程度の電圧及び０．１〜１Ａ程度の電流を用いればポリプを死滅させるのに十分な量の気泡を発生させることができる。また、使用する電極は一対だけでなく複数対で使用することができ、これにより気泡の発生面積を増大することができる。
【００１７】
なお、本発明の方法の実施時期としては、クラゲがミズクラゲである場合、秋の終わりから冬の初めにかけての時期を選択することが好ましい。ミズクラゲのポリプは、水温が１５℃以下に低下するとストロビレーションを開始し、エフィラ幼生を遊離し始めることが知られている。また、ミズクラゲの場合、夏から秋にかけて新規プラヌラ幼生が付着して繁殖し、冬になって海水温が低下するとエフィラ幼生を遊離することが知られている。従って、本発明の方法を、秋の終わりから冬の初めにかけてのミズクラゲの新規プラヌラ付着が終了して海水温が１５℃以下に低下する直前の時期に実施することにより、ミズクラゲの発生を確実に防止することができる。
【００１８】
本発明の方法によれば、火力発電所等の海水利用プラントに来襲するクラゲのポリプの生息地でポリプを迅速かつ簡単に死滅させることができるので、海水利用プラントへのクラゲの来襲を結果的に効率良く防止することができる。
【実施例】
【００１９】
以下、実施例を示すことにより本発明の方法の有効性を更に具体的に説明するが、本発明はこれらに限定されるものではない。
【００２０】
試験方法
ミズクラゲのポリプが殻の表面に多数付着しているムラサキイガイの死貝の殻を準備し、貝殻の両端を１５ｃｍの長さのひもで連結された二つのクリップではさんだ。次に、３ｌの濾過海水を満たした小型のプラスチック水槽を準備し、その縁に棒を渡し、その棒をクリップ間のひもに通して、図１に示すように貝殻をそのポリプ付着表面が下側になるように棒から懸下した。貝殻の水中での位置は、水面から約３ｃｍ下であった。次に、図２に示すように、電気分解により発生する気泡が浮上して貝殻表面のポリプに接触するように貝殻の下に縦２０ｃｍ×横５ｃｍの大きさの二枚の電極を５ｍｍの間隔を空けて配置し、図３に示すような電源装置に接続した。次に、電極間に４Ｖの電圧を印加し、０．１５Ａ，０．３または０．６Ａの各電流で１０分間通電した。
【００２１】
試験結果
通電処理前、処理中、処理直後及び処理の１日後のポリプの状態を目視観察し、写真撮影した。その結果を図４〜９に示す。また、通電処理直後の損傷等を受けたポリプの割合や処理の１日後の死滅ポリプ数を計算した結果を以下の表にまとめる。
0004966219.tif 000002
【００２２】
考察
電圧を印加すると、その直後からいずれの電流値においても電極間の電流通過領域に電気分解による気泡が連続的に発生した。このとき電流量が大きいほど、気泡の量が多く、また気泡の量が多いほど、気泡で被覆された貝殻表面の面積は大きかった。処理前のポリプは図４に示すように触手を十分伸長しており、正常な状態であったが、気泡がポリプに接触した瞬間、ポリプは図５に示すように触手を急速に萎縮させ、続いて体部も大きく萎縮させる挙動を示した。一方、気泡が直接接触しなかった貝殻の端のポリプは図６に示すように触手を少し萎縮させたが、完全には萎縮させなかった。
【００２３】
１０分間の通電処理後、ポリプを観察したところ、気泡が接触していたポリプには図７に示すように微細な気泡が依然として付着したままであった。気泡を強制的に除去してその下にあるポリプの状態を観察したところ、明らかな白変や組織損傷状態が認められた。これらのポリプは処理の１日後には図８に示すように組織が完全に崩壊して触手及び体部が流失し、完全に死滅したことが確認された。また、気泡が直接接触しなかった貝殻の端のポリプは図９に示すように触手を少し萎縮させていたが、触手、体部ともに組織形状は維持されており、処理の２日後には触手を伸長させており、１ヶ月半後にはストロビレーションを行いエフィラを遊離させていた。
【００２４】
また、表からわかる通り、いずれの電流値でもポリプは死滅しているが、ポリプの死滅割合は流した電流量によって異なり、０．１５Ａの電流を流した実施例１では２２％のポリプが死滅したが、０．３Ａの電流を流した実施例２では２７％のポリプが死滅し、０．６Ａの電流を流した実施例３では４２％のポリプが死滅している。
【００２５】
これらの結果から、海水の電気分解により発生する気泡をポリプに接触させることによってポリプを迅速かつ簡単に死滅させることができること、及びその死滅効果は気泡の発生量に比例し、例えば流す電流量を多くすることにより気泡の発生量を増大させればポリプ死滅効果も増大することが明らかである。
【産業上の利用可能性】
【００２６】
本発明によれば、クラゲのポリプを浮き桟橋の裏や防波堤のオーバーハングの裏などの実際の着生場所で迅速かつ簡単に死滅させ、クラゲの発生を効果的に防止することができる。従って、本発明は火力発電所等の海水利用プラントへのクラゲの来襲を防止するのに有効に利用することができる。
【図面の簡単な説明】
【００２７】
【図１】実施例の試験方法における貝殻の設置状況を示す写真である。
【図２】実施例の試験方法における電極の設置状況を示す写真である。
【図３】実施例の試験方法で用いた電源装置を示す写真である。
【図４】電圧印加前のポリプの状態を示す写真である。
【図５】気泡がポリプに接触した瞬間のポリプの状態を示す写真である。
【図６】気泡が直接接触しなかったポリプの状態を示す写真である。
【図７】通電処理後のポリプの表面を示す写真であり、右側の写真は左側の写真の拡大図である。
【図８】通電処理の１日後のポリプの状態を示す写真である。
【図９】気泡が直接接触しなかったポリプの通電処理の１日後の状態を示す写真である。
【図１】
0004966219.tif 000003
【図２】
0004966219.tif 000004
【図３】
0004966219.tif 000005
【図４】
0004966219.tif 000006
【図５】
0004966219.tif 000007
【図６】
0004966219.tif 000008
【図７】
0004966219.tif 000009
【図８】
0004966219.tif 000010
【図９】
0004966219.tif 000011